(57)【特許請求の範囲】
【請求項１】
前方に角筒状の端子接続部を有すると共に後方に電線接続部を有する端子本体と、前記端子接続部の内部に別体として設け相手側接続端子の平刃状接触部の両面と導電接触する接続端子において、前記端子接続部の前部と後部において上下方から内側に張り出してそれぞれ前記相手側の平刃状接続部の両面を挟持する挟持部を設け、これらの前後の挟持部間に前記導電接触体を配置し、前記導電接触体は、１枚の金属板を打ち抜き折曲して成り、前側に位置する第１の枠部と、後側に位置する第２の枠部と、前記第１の枠部と前記第２の枠部の上辺同士を連結すると共に下方に弯曲して前記平刃状接触部の上面に圧接する第１の可撓接片部と、前記第１の枠部と前記第２の枠部の下辺同士を連結すると共に上方に弯曲して前記平刃状接触部の下面に圧接する第２の可撓接片部とから成ることを特徴とする接続端子。
【請求項２】
前記第１の可撓接片部と前記第２の可撓接片部には、軸線方向に向かう複数本のスリットをそれぞれ設けた請求項１に記載の接続端子。
【請求項３】
前記端子接続部には前記導電接触体の軸線方向への所定以上の移動を防止する移動防止部を設けた請求項１に記載の接続端子。
【発明の詳細な説明】
【０００１】
【発明の属する技術分野】
本発明は、相手側接続端子の平刃状接触部と接続する導電接触体を別体として備えた接続端子に関するものである。
【０００２】
【従来の技術】
従来、この種の接続端子は例えば図６に示すように構成されたものが知られており、相手側接続端子の平刃状接触部と接続する角筒状の端子接続部１を有している。端子接続部１の天板１ａには、下方に膨出して平刃状接触部の上面に接触する固定接触部１ｂが設けられ、端子接続部１の底板１ｃ上には、平刃状接触部の下面に接触する山形の可撓接触片２が別体として取り付けられている。
【０００３】
可撓接触片２は、端子接続部１の前部において底板１ｃに接触する前方板部２ａと、端子接続部１の後部において底板１ｃに接触する後方板部２ｂと、前方板部２ａと後方板部２ｂを連結すると共に上方に弯曲して平刃状接触部に圧接する可撓接片部２ｃとを有している。
【０００４】
可撓接触片２の前方板部２ａは耳部２ｄ、２ｅを有していると共に、後方板部２ｂも耳部２ｆ、２ｇを有している。前方の耳部２ｄ、２ｅは端子接続部１の側板１ｄ、１ｅの前部に形成された孔部１ｆ、１ｇにそれぞれ係合され、後方の耳部２ｆ、２ｇは端子接続部１の側板１ｄ、１ｅの後部に形成された孔部１ｈ、１ｉ（孔部１ｉは図示せず）にそれぞれ係合されている。そして、前方の耳部２ｄ、２ｅは孔部１ｆ、１ｇ内に固定されている反面で、後方の耳部２ｆ、２ｇは孔部１ｈ、１ｉ内を前後方向に移動自在とされ、可撓接片部２ｃが撓み易くされている。
【０００５】
【発明が解決しようとする課題】
しかしながら、上述の従来の接続端子では、平刃状接触部の下面に圧接する可撓接触片２が可撓性を有する反面で、平刃状接触部の上面に圧接する固定接触部１ｂは可撓性を持たないので、平刃状接触部を端子接続部１の固定接触部１ｂと可撓接触片２の可撓接片部２ｃとの間に挿脱する際に大きな押込力、引抜力を要するという問題がある。
【０００６】
本発明の目的は、上述した問題点を解消し、相手側接続端子に対して確実に接触し得ると共に容易に挿脱し得る接続端子を提供することにある。
【０００７】
【課題を解決するための手段】
上記目的を達成するための本発明に係る接続端子は、前方に角筒状の端子接続部を有すると共に後方に電線接続部を有する端子本体と、前記端子接続部の内部に別体として設け相手側接続端子の平刃状接触部の両面と導電接触する接続端子において、前記端子接続部の前部と後部において上下方から内側に張り出してそれぞれ前記相手側の平刃状接続部の両面を挟持する挟持部を設け、これらの前後の挟持部間に前記導電接触体を配置し、前記導電接触体は、１枚の金属板を打ち抜き折曲して成り、前側に位置する第1の枠部と、後側に位置する第２の枠部と、前記第1の枠部と前記第２の枠部の上辺同士を連結すると共に下方に弯曲して前記平刃状接触部の上面に圧接する第１の可撓接片部と、前記第1の枠部と前記第２の枠部の下辺同士を連結すると共に上方に弯曲して前記平刃状接触部の下面に圧接する第２の可撓接片部とから成ることを特徴とする。
【０００８】
【発明の実施の形態】
本発明を図１〜図５に図示の実施の形態に基づいて詳細に説明する。
図１は相手側接続端子の平刃状接触部１１と接続する前の状態を示す実施の形態の縦断面図、図２は平刃状接触部１１を除いて示す斜視断面図であり、この実施の形態に係る接続端子は、後部に電線を接続してハウジングに収容される端子本体１２と、この端子本体１２の内部に別体として嵌合されて平刃状接触部１１に対する導電接触部となる導電接触体１３とから構成されている。端子本体１２は肉厚の導電金属板から加工され、導電接触体１３は肉薄の導電金属板から加工されている。端子本体１２には、導電接触体１３を電気的接続可能に収容する筒状の端子接続部１４と、この端子接続部１４から後方に延在して電線を圧着するＵ字状の電線圧着部１５とが形成されている。
【０００９】
図３は導電接触体１３の斜視図であり、導電接触体１３は端子接続部１４内の比較的前部に嵌合される第１の枠部２１と、端子接続部１４内の比較的後部に嵌合される第２の枠部２２と、軸線方向に向かう複数本のスリット２３を有して枠部２１、２２の上辺同士を連結する複数枚の第１の可撓接片部２４と、軸線方向に向う複数本のスリット２５を有して枠部２１、２２の下辺同士を連結する複数枚の第２の可撓接片部２６とを有している。第１の可撓接片部２４は平刃状接触部１１の上面に圧接し得るように下方に弯曲され、第２の可撓接片部２６は平刃状接触部１１の下面に圧接し得るように上方に弯曲されている。
【００１０】
端子本体１２の筒状の端子接続部１４は、天板３１、左側板３２、底板３３、及び図示しない右側板を有し、天板３１と底板３３の前後方向の略中間には、導電接触体１３の可撓接片部２４、２６の過剰な変形を規制する規制部３４、３５が、相互に接近するように可撓接片部２４、２６の近傍までそれぞれ突設されている。
【００１１】
端子接続部１４の後部には、天板３１と底板３３から相互に接近するように突出して、平刃状接触部１１の先端側の上下面を挟持する第１の挟持部３６、３７がそれぞれ形成されている。端子接続部１４の前部には、天板３１と底板３３の一部から切欠して形成され、相互に接近するように突出して平刃状接触部１１の基部側の上下面を挟持する第２の挟持部３８、３９がそれぞれ形成されている。
【００１２】
第１の挟持部３６、３７は導電接触体１３の後方への所定以上の移動を規制する突起状とされ、それらの前面には平刃状接触部１１を案内する案内面３６ａ、３７ａがそれぞれ設けられている。第２の挟持部３８、３９は導電接触体１３の前方への所定以上の移動を規制する突片状とされ、それらの前面には平刃状接触部１１を案内する案内面３８ａ、３９ａがそれぞれ設けられている。なお、第２の挟持部３８、３９は、導電接触体１３が端子接続部１４に嵌合された後にプレス加工されている。
【００１３】
そして、第１の挟持部３６、３７の案内面３６ａ、３７ａの基部は、導電接触体１３の後端面から離れて配置され、第２の挟持部３８、３９の後端面は、導電接触体１３の前端面から離れて配置されている。これらの間隔は、平刃状接触部１１が導電接触体１３の可撓接片部２４、２６の間に圧入された際に、導電接触体１３の枠部２１、２２が移動することになるが、導電接触体１３を前後方向にがたつかせない程度の大きさとされている。
【００１４】
相手側接続端子の平刃状接触部１１を端子本体１２の端子接続部１４に嵌入すると、平刃状接触部１１は案内面３８ａ、３９ａにより案内されながら第２の挟持部３８、３９の間を摺動し、図４に示すように導電接触体１３の可撓接片部２４、２６を外方へ撓ませながらそれらの間に押し入り、案内面３６ａ、３７ａに案内されて第１の挟持部３６、３７の間に進入する。このとき、導電接触体１３の第１の枠部２１と第２の枠部２２は前方と後方にそれぞれ摺動して全体として前後に伸長し、第１の挟持部３６、３７の案内面３６ａ、３７ａの基部と導電接触体１３の後端面の間の距離と、第２の挟持部３８、３９の後端面と導電接触体１３の前端面との間の距離とは、第１の枠部２１と第２の枠部２２が摺動する前の距離よりも減少する。
【００１５】
このように実施の形態では、導電接触体１３の第１の枠部２１と第２の枠部２２を前方と後方にそれぞれ移動可能としたので、相手側接続端子の平刃状接触部１１を可撓接片部２４、２６の間に受け入れた際にそれらを良好に撓ませることができる。従って、大電流用の大型の接続端子であっても、相手側接続端子の平刃状接触部１１に可撓接片部２４、２６を介して確実に接触できる上に、平刃状接触部１１の挿入力、引抜力を低減して、平刃状接触部１１を可撓接片部２４、２６の間に容易に挿脱させることができる。
【００１６】
なお、実施の形態では可撓接片部２４、２６を軸線方向に向かう複数本のスリット２３、２５によりそれぞれ離間させたが、図５に示すようにスリットを持たない可撓接片部２４’、２６’から成る導電接触体１３’としても、可撓接片部２４’、２６’の可撓性を若干低下させることを除いて、上述と同様な効果を達成できる。
【００１７】
【発明の効果】
以上説明したように本発明に係る接続端子は、導電接触体の第１の枠部と第２の枠部を前方と後方にそれぞれ移動させながら、相手側接続端子の平刃状接触部を第１の可撓接片部と第２の可撓接片部の間に受け入れるので、双方の可撓接片部を平刃状接触部の上下面にそれぞれ確実に圧接できる上に、相手側接続端子の挿脱力を低減できる。
【図面の簡単な説明】
【図１】相手側接続端子と共に示す実施の形態の縦断面図である。
【図２】相手側接続端子を除いた斜視図である。
【図３】導電接触体の斜視図である。
【図４】相手側接続端子を受け入れる際の作用説明図である。
【図５】導電接触体の変形例の斜視図である。
【図６】従来例の部分斜視図である。
【符号の説明】
１１  相手側接続端子の平刃状接触部
１２  端子本体
１３、１３’  導電接触体
１４  端子接続部
１５  電線圧着部
２１、２２枠部
２３、２５  スリット
２４、２４’、２６、２６’  可撓接片部
３６、３７、３８、３９  挟持部
【図１】
0004431259.tif 000002
【図２】
0004431259.tif 000003
【図３】
0004431259.tif 000004
【図４】
0004431259.tif 000005
【図５】
0004431259.tif 000006
【図６】
0004431259.tif 000007